(57)【要約】【課題】  転落防止柵の取付け対象をライナープレートに特定し、このライナープレートの構造を利用し、簡単な手間で、しかも確実かつ強固に転落防止柵の単管支柱をライナープレートに取付けることができる転落防止柵取付け具の提供。【解決手段】  開削穴Ｇ１の土留め用として設置されるライナープレート８に転落防止柵９の単管支柱９０を取付けるための取付け具Ａである。支柱保持管１と、上側支持板２と、下側受け板３と、ライナープレート８の波状胴壁８１に形成された山状波部８１ａを上下から挟持させる挟持板片４ａ，４ｂとを備えている。支柱保持管には単管支柱の下端を支えるストッパ部材１２が設けられると共に支柱用固定ボルト１０が設けられ、上側支持板２にライナープレートの締結ボルト用通し穴８２ａに回転可能に挿し込む係止ピン５が下向きに突設されると共にフランジ用固定ボルト２０が設けられている。【選択図】  図１
2010095972.tif 000002
【特許請求の範囲】
【請求項１】
開削穴（Ｇ１）の内周面に土留め用として設置されるライナープレート（８）に転落防止柵（９）の単管支柱（９０）を取付けるための取付け具であって、
前記単管支柱（９０）の下端部を着脱可能に取付ける支柱保持管（１）と、前記ライナープレート（８）の上端フランジ（８２）の上面に載置させる上側支持板（２）と、この上側支持板（２）との間に形成したフランジ挟持空間（３０）に前記ライナープレート（８）の上端フランジ（８２）を嵌め込んで挟持させる下側受け板（３）と、前記ライナープレート（８）の波状胴壁（８１）に形成された山状波部（８１ａ）を上下から挟持させる上下の挟持板片（４ａ），（４ｂ）とを備え、
前記支柱保持管（１）は、その内部が前記単管支柱（９０）の下端部を着脱可能に嵌合させる支柱嵌合穴（１１）に形成され、この支柱嵌合穴（１１）の下端部に単管支柱（９０）の下端を支えるストッパ部材（１２）が設けられ、かつ支柱保持管（１）の上端部外面に支柱用固定ボルト（１０）が設けられ、
前記上側支持板（２）の下面に、前記ライナープレート（８）の上端フランジ（８２）に形成した締結ボルト用通し穴（８２ａ）に回転可能に挿し込む係止ピン（５）が下向きに突設され、かつ上側支持板（２）の上面に前記フランジ挟持空間（３０）に臨むようにフランジ用固定ボルト（２０）が設けられていることを特徴とするライナープレート用転落防止柵取付け具。
【発明の詳細な説明】
【技術分野】
【０００１】
本発明は、地面に形成した開削穴の内周面に土留め用として設置されたライナープレートに転落防止柵を取付けるためのライナープレート用転落防止柵取付け具（以下、「転落防止柵取付け具」という）に関する。
【背景技術】
【０００２】
上下水道の地中埋設工事、電力管やガス管等の地中埋設工事に伴い地面に立坑を開削する場合、この開削穴（立坑）への転落を防止するため、開削穴の周囲に転落防止柵を設置することが要求されている。
【０００３】
前記開削穴には、開削施工時に土留め用としてライナープレートが設置されるもので、このライナープレートを転落防止柵の取付けベースとして利用すれば、転落防止柵を強固かつ簡易に取付けることができという利点がある。
【０００４】
このような観点から、従来からライナープレートに転落防止柵を取付けることが行われているが、その取付け具として、例えば、建築用仮設足場の組み立てに用いられるキャッチクランプ（特許文献１参照）が用いられている。
【０００５】
この従来のキャッチクランプは、Ｈ形鋼の突条部を挟持する略コ字状のクランプ本体と、固定片と可動片とでパイプを把持するパイプ把持部とを備えている。
このキャッチクランプを転落防止柵の取付け具として使用する場合には、クランプ本体をライナープレートの上端フランジに固定させ、かつパイプ把持部で転落防止柵の単管支柱を固定させることになる。
【特許文献１】特開２００６−２０７３０８号公報
【発明の開示】
【発明が解決しようとする課題】
【０００６】
しかしながら、前記キャッチクランプはあくまでも建築用仮設足場の組み立て具であって、これを転落防止柵用として転用した場合には以下のような不具合が生じる。
即ち、クランプ本体でライナープレートの上端フランジを挟持させた状態で固定ボルトにより固定することになるが、その固定個所が固定ボルトによる１ヶ所であるため、その取付け状態でズレ動き易く、取付け状態が不安定になる。
また、パイプ把持部を構成する固定片と可動片との間で単管支柱を挟んだ上で連結ボルトと締付ナットで締め付けるといった手間のかかる作業が必要になる。
特に、転落防止柵では単管支柱を立向きに（垂直に）固定させるため、従来のパイプ把持部では、単管支柱を固定片と可動片とで横方向から挟みながら連結ボルトと締付ナットの締め付けが完了するまでは単管支柱が抜け落ちないように手で支えておく必要が生じるし、また、連結ボルトと締付ナットの締め付けが弛むと単管支柱が抜け落ちてしまうといった問題があった。
【０００７】
本発明は、上記課題を解決するためになされたもので、転落防止柵の取付け対象をライナープレートに特定したもので、このライナープレートの構造を利用することにより簡単な手間で、しかも確実かつ強固に転落防止柵の単管支柱をライナープレートに取付けることができる転落防止柵取付け具を提供することを課題としている。
【課題を解決するための手段】
【０００８】
上記の課題を解決するため、本発明（請求項１）の転落防止柵取付け具は、
開削穴（Ｇ１）の内周面に土留め用として設置されるライナープレート（８）に転落防止柵（９）の単管支柱（９０）を取付けるための取付け具であって、
前記単管支柱（９０）の下端部を着脱可能に取付ける支柱保持管（１）と、前記ライナープレート（８）の上端フランジ（８２）の上面に載置させる上側支持板（２）と、この上側支持板（２）との間に形成したフランジ挟持空間（３０）に前記ライナープレート（８）の上端フランジ（８２）を嵌め込んで挟持させる下側受け板（３）と、前記ライナープレート（８）の波状胴壁（８１）に形成された山状波部（８１ａ）を上下から挟持させる上下の挟持板片（４ａ），（４ｂ）とを備え、
前記支柱保持管（１）は、その内部が前記単管支柱（９０）の下端部を着脱可能に嵌合させる支柱嵌合穴（１１）に形成され、この支柱嵌合穴（１１）の下端部に単管支柱（９０）の下端を支えるストッパ部材（１２）が設けられ、かつ支柱保持管（１）の上端部外面に支柱用固定ボルト（１０）が設けられ、
前記上側支持板（２）の下面に、前記ライナープレート（８）の上端フランジ（８２）に形成した締結ボルト用通し穴（８２ａ）に回転可能に挿し込む係止ピン（５）が下向きに突設され、かつ上側支持板（２）の上面に前記フランジ挟持空間（３０）に臨むようにフランジ用固定ボルト（２０）が設けられている構成とした。
【発明の効果】
【０００９】
本発明の転落防止柵取付け具は、転落防止柵の単管支柱をライナープレートに取付けるためのものである。
使用に際しては、係止ピンをライナープレートの上端フランジに形成した締結ボルト用通し穴に挿し込んで、この上端フランジの上面に上側支持板を載置させる。
このように係止ピンを設けているため、取付け位置の位置決めが容易かつ正確にできるし、上側支持板を上端フランジの上面に容易に載せることができ、上側支持板が上端フランジの上面からズレ落ちるのを防止できる。
【００１０】
次に、前記係止ピンを中心にして全体を回転させることでフランジ挟持空間内に上端フランジが挿入するようにセットさせ、その状態でフランジ用固定ボルトにより固定させる。
これによりフランジ挟持空間内に上端フランジを容易に挿入させることができるし、前記係止ピンとフランジ用固定ボルトとの２ヶ所で固定できるため、強固に取付けることができる。
更に、前記ライナープレートの波状胴壁に形成された山状波部を上下の挟持板片によって挟持させるため、ガタ付きや支柱保持管が傾くのを防止でき、より確実かつ強固に取付けることができる。
【００１１】
次に、転落防止柵の単管支柱を支柱保持管の支柱嵌合穴に上から挿し込み、支柱用固定ボルトで単管支柱を固定させる。
この場合、単管支柱の下端がストッパ部材によって支えられるため、単管支柱から手を放しても単管支柱が抜け落ちるといったことはないし、支柱用固定ボルトが弛んだとしても単管支柱が抜け落ちることはない。
【発明を実施するための最良の形態】
【００１２】
図１は本発明の実施例に係る転落防止柵取付け具を用いてライナープレートに転落防止柵を取付けた状態の断面図、図２は転落防止柵取付け具を用いてライナープレートに転落防止柵を取付ける際の手順を示す工程図である。
【００１３】
本実施例の転落防止柵取付け具Ａは、ライナープレート８に転落防止柵９の単管支柱９０を取付けるためのものである。
【００１４】
前記ライナープレート８は、円環状に形成された波状胴壁８１の上端に上端フランジ８２が内向きに形成されると共に、波状胴壁８１の下端に下端フランジ８３が内向きに形成され、前記上端フランジ８２及び下端フランジ８３にそれぞれボルト用通し穴８２ａ，８３ａが形成されている。
また、前記波状胴壁８１には、複数個（実施例では３個）の山状波部８１ａと複数個（実施例では２個）の谷状波部８１ｂが上下方向に交互に形成されている。
【００１５】
このライナープレート８は、地面Ｇに形成した開削穴Ｇ１の内周面に土留め用として設置されるもので、その設置に際しては複数個のライナープレート８を上下方向に積み重ねて連結させる。
この場合、下段側のライナープレート８の上端フランジ８２と、上段側のライナープレート８の下端フランジ８３を重ね合わせると共に、ボルト用通し穴８２ａ，８３ａを符合させ、そのボルト用通し穴８２ａ，８３ａに締結ボルト８４を挿通させてナット８５により締結することでライナープレート８，８同士を上下に連結させるものである。
そして、上下方向に積み重ねたライナープレート８のうち最上段のライナープレート８に転落防止柵取付け具Ａを取付けるものである。
【００１６】
前記転落防止柵取付け具Ａは、支柱保持管１と、上側支持板２と、下側受け板３と、上下の挟持板片４ａ，４ｂとを主な構成部材として備えている。
なお、前記支柱保持管１は鋼管により形成され、前記上側支持板２及び下側受け板３は鋼板により形成されている。
【００１７】
前記支柱保持管１は前記単管支柱９０の下端部を着脱可能に取付けるためのもので、軸方向を上下方向にして取付けられ、その上端部に支柱用固定ボルト１０が設けられている。
【００１８】
また、支柱保持管１の内部は前記単管支柱９０の下端部を着脱可能に嵌合させる支柱嵌合穴１１に形成され、この支柱嵌合穴１１の下端部に単管支柱９０の下端を支えるストッパ部材１２が設けられている。
このストッパ部材１２としては、単管支柱９０の下端を支えることができれば、支柱嵌合穴１１の底を塞ぐような板材を使用してもよいが、支柱嵌合穴１１の底に土砂等が溜まるのを防止するため実施例では棒材を用いている。
【００１９】
前記上側支持板２は、前記ライナープレート８の上端フランジ８２の上面に載置させるためのもので、その板面が前記支柱保持管１の軸方向と直角になるように支柱保持管１の上端部分に固着されている。
この上側支持板２の一端部下面に係止ピン５が下向きに突設され、この係止ピン５は前記ライナープレート８の上端フランジ８２に形成した締結ボルト用通し穴８２ａに回転可能に挿し込めるように形成されている。
【００２０】
前記下側受け板３は、前記上側支持板２との間に形成したフランジ挟持空間３０に前記ライナープレート８の上端フランジ８２を嵌め込んで挟持させるためのもので、この下側受け板３の基端部は前記上側支持板２の他端部に一体に連結されている。
【００２１】
また、上側支持板２の他端部上面に前記フランジ挟持空間３０に臨むようにフランジ用固定ボルト２０が設けられている。
このフランジ用固定ボルト２０及び前記支柱用固定ボルト１０には蝶頭ボルトが用いられ、スパナ等の工具を使用することなく手作業で締め付けできるようにしている。
【００２２】
前記上下の挟持板片４ａ，４ｂは前記ライナープレート８の波状胴壁８１に形成された最上位置の山状波部８１ａを上下から挟持させるもので、その板面が前記支柱保持管１の軸方向と平行になるように前記上側支持板２の下方において支柱保持管１に固着されている。
【００２３】
本実施例の転落防止柵取付け具Ａを用いてライナープレート８に転落防止柵９を取付ける際の手順を図２の工程図により説明する。
まず、図２（イ）で示すように、係止ピン５をライナープレート８の上端フランジ８２に形成した締結ボルト用通し穴８２ａに挿し込み、図２（ロ）で示すように、上端フランジ８２の上面に上側支持板２を載置させる。
この係止ピン５を用いたことによって取付け位置の位置決めが容易かつ正確にできるし、上側支持板２が上端フランジ８２の上面からズレ落ちるのを防止できる。
【００２４】
次に、図２（ロ）で示すように、前記係止ピン５を中心にして全体を矢印方向Ｒに回転させ、これにより図２（ハ）で示すように、フランジ挟持空間３０内に上端フランジ８２を挿入させる状態にセットさせ、そのセット状態でフランジ用固定ボルト２０により固定させるものである。
このようにフランジ挟持空間３０内に上端フランジ８２を容易に挿入させることができるし、前記係止ピン５とフランジ用固定ボルト２０との２ヶ所で固定できるため、強固に取付けることができる。
更に、前記ライナープレート８の波状胴壁８１に形成された山状波部８１ａを上下の挟持板片４ａ，４ｂによって挟持させるため、ガタ付きや支柱保持管１が傾くのを防止でき、より確実かつ強固に取付けることができる。
【００２５】
次に、転落防止柵９の単管支柱９０を支柱保持管１の支柱嵌合穴１１に上から挿し込み、支柱用固定ボルト１０で単管支柱９０を固定させる。
この場合、単管支柱９０の下端がストッパ部材１２によって支えられるため、単管支柱９０から手を放しても単管支柱９０が抜け落ちるといったことはないし、支柱用固定ボルト１０が弛んだとしても単管支柱９０が抜け落ちることはない。
【００２６】
このように転落防止柵取付け具Ａを利用して単管支柱９０をライナープレートに固定していき、次に、適宜の締結手段９１を用いて各単管支柱９０に手摺管９２を取付けていくことで、転落防止柵９を形成していくものである。
【００２７】
なお、前記締結手段９１として実施例では建築足場用のクランプを用いているが、これに限ることはない。なお、この締結手段９１は本発明の要旨ではないので、その説明を省略する。
又、前記手摺管９２は上下複数段（実施例では２段）に設けてもよいし１段でもよく、また、手摺管９２の代わりにフェンスを取付けてもよい。
また、実施例では、支柱用固定ボルト１０及びフランジ用固定ボルト２０としてゼスナーボルトを用いており、このゼスナーボルトは泥や砂を噛んでもスムーズに回転できるし、ネジ部が大きく谷が円形なのでモルタルの付着がないという利点がある。
【図面の簡単な説明】
【００２８】
【図１】本発明の実施例に係る転落防止柵取付け具を用いてライナープレートに転落防止柵を取付けた状態の断面図
【図２】転落防止柵取付け具を用いてライナープレートに転落防止柵を取付ける際の手順を示す工程図
【符号の説明】
【００２９】
１  支柱保持管
１０  支柱用固定ボルト
１１  支柱嵌合穴
１２  ストッパ部材
２  上側支持板
２０  フランジ用固定ボルト
３  下側受け板
３０  フランジ挟持空間
４ａ  挟持板片
４ｂ  挟持板片
５  係止ピン
８  ライナープレート
８１  波状胴壁
８１ａ  山状波部
８１ｂ  谷状波部
８２  上端フランジ
８２ａ  締結ボルト用通し穴
８３  下端フランジ
８３ａ  締結ボルト用通し穴
８４  締結ボルト
８５  ナット
９  転落防止柵
９０  単管支柱
９１  締結手段
９２  手摺管
Ａ  ライナープレート用転落防止柵取付け具
Ｇ  地面
Ｇ１  開削穴
【図１】
2010095972.tif 000003
【図２】
2010095972.tif 000004